(57)【要約】【課題】ファイナライズ処理を自動的に行うことなく、指示に従ってファイナライズ処理を実行すること。【解決手段】制御マイコン部１０５は、操作スイッチ１０９により、ダビング処理が指示されたときに、バッテリ１１１による駆動でなく、外部電源入力部１１２から電力を利用するAC電源の駆動であることを条件に、ハードディスクドライブ１０７またはディスクメディア部１０８に対するダビング処理を実行し、操作スイッチ１０９により、ファイナライズ処理が指示されたときには、バッテリ１１１による駆動でなく、外部電源入力部１１２から電力を利用するAC電源の駆動であることを条件に、ハードディスクドライブ１０７またはディスクメディア部１０８に対するファイナライズ処理を実行する。【選択図】図１
2009043354.tif 000002
【特許請求の範囲】
【請求項１】
被写体を撮像して映像情報を生成するカメラ部と、前記カメラ部または外部からの映像情報を第１の記録媒体と第２の記録媒体に記録、または前記第１の記録媒体と第２の記録媒体から前記映像情報を再生する信号処理部と、第１の電源と、第２の電源と、前記映像情報を画像表示する表示部と、これら全体を制御する制御部とを有する情報記録再生装置において、
前記制御部は、前記第１の電源から電力の供給を受けていることを条件に、前記第１の記録媒体または第２の記録媒体に対するダビング処理を前記信号処理部に指示し、
前記第１の電源から電力の供給を受けていることを条件に、前記第１の記録媒体または第２の記録媒体に対するファイナライズ処理を前記信号処理部に指示する、ことを特徴とする情報記録再生装置。
【請求項２】
請求項１に記載の情報記録再生装置において、前記制御部は、前記第１の電源から電力の供給を受けているかあるいは前記第２の電源の残量が所定量を超えていることを条件に、ダビング処理とファイナライズ処理に関する選択情報を前記表示部に表示させる、ことを特徴とする情報記録再生装置。
【請求項３】
請求項１に記載の情報記録再生装置において、前記制御部は、前記第１の電源から電力の供給を受けているかあるいは前記第２の電源の残量が所定量を超えていることを条件に、ダビング処理の実行またはダビング処理とファイナライズ処理の実行のいずれかを選択するための選択情報を前記表示部に表示させる、ことを特徴とする情報記録再生装置。
【請求項４】
請求項１に記載の情報記録再生装置において、前記第１の記録媒体は、ハードディスクであり、前記第２の記録媒体は、光ディスクである、ことを特徴とする情報記録再生装置。
【請求項５】
請求項１に記載の情報記録再生装置において、前記第１の電源は、外部電源であり、前記第２の電源は、バッテリである、ことを特徴とする情報記録再生装置。
【請求項６】
被写体を撮像して映像情報を生成するカメラ部と、前記カメラ部または外部からの映像情報を第１の記録媒体と第２の記録媒体に記録、または前記第１の記録媒体と第２の記録媒体から前記映像情報を再生する信号処理部と、第１の電源と、第２の電源と、前記映像情報を画像表示する表示部と、これら全体を制御する制御部とを有し、前記制御部の処理により、前記いずれかの記録媒体に映像または音声を記録、あるいは前記いずれかの記録媒体から映像または音声を再生する情報記録再生方法において、
前記第１の電源から電力の供給を受けていることを条件に、前記第１の記録媒体または第２の記録媒体に対するダビング処理を実行する第１の工程と、
前記第１の電源から電力の供給を受けていることを条件に、前記第１の記録媒体または第２の記録媒体に対するファイナライズ処理を実行する第２の工程と、を有する、ことを特徴とする情報記録再生方法。
【請求項７】
請求項６に記載の情報記録再生方法において、前記第１の電源から電力の供給を受けているかあるいは前記第２の電源の残量が所定量を超えていることを条件に、ダビング処理とファイナライズ処理に関する選択情報を前記表示部に表示させる第３の工程を有する、ことを特徴とする情報記録再生方法。
【請求項８】
請求項６に記載の情報記録再生方法において、前記第１の電源から電力の供給を受けているかあるいは前記第２の電源の残量が所定量を超えていることを条件に、ダビング処理の実行またはダビング処理とファイナライズ処理の実行のいずれかを選択するための選択情報を前記表示部に表示させる第３の工程を有する、ことを特徴とする情報記録再生方法。
【発明の詳細な説明】
【技術分野】
【０００１】
本発明は、BD-Rなどの情報記録媒体に情報を記録し、記録した情報を再生できる情報記録再生装置及び情報記録方法に関するものである。
【背景技術】
【０００２】
近年、映像及び音声情報の世界における映像及び音声のデジタル化、及び、映像及び音声データの圧縮技術の向上により、ＶＴＲをはじめとするテープ記録から、DVD（Digital  Versatile  Disc）、ハードディスクドライブ（HDD）等のディスク記録への移行が急速に行われている。その代表的なものとして、例えば、HDDとDVDドライバとが混在するHDD＆DVDハイブリッドレコーダがある。これは、例えば、放送局から、あるいは外部入力端子からの映像あるいは音声情報を一旦HDDに記録した後、保存したい場合にDVDディスクにバックアップ他で記録する、いわゆるダビングを行うものである。この際、HDDとDVDのコンビネーションのレコーダでダビングを行うときに、省電力でHDDあるいはDVDの片方のドライブを停止するようにしたものが提案されている（特許文献１参照）。
【０００３】
一方、家庭用カメラ市場においても、テープ記録からディスクへのメディアチェンジが行われており、8cmDVDディスクを使ったDVDカメラ、あるいは小型のHDDを記録媒体に使ったHDDカメラが各種製品化されている。この種のカメラにおいても、ブルーレイディスクを媒体とした場合、HDDを搭載したハイブリッドタイプのものは、レコーダと同様に、BD-R（Blu-Ray  Disc  Recordable）のディスクへのダビング機能があると便利である。この場合、BD−Ｒのディスクへのダビング時には、BD（Ｂｌｕ−Ｒａｙ  Ｄｉｓｃ）プレーヤ互換のために、ファイナライズをする方が良い。
【特許文献１】特開２００４−１５９２２５号公報
【発明の開示】
【発明が解決しようとする課題】
【０００４】
HDDを搭載したハイブリッドタイプのカメラの場合、レコーダとは異なり、撮影カット数が多いため、一回のダビングでダビング先ディスク容量を一杯にすることは少なく、何回か撮影した後、ダビングをすることが多い。そのため、カメラでは、ダビング時に自動でファイナライズを行うことが必ずしも良いとは限らない。すなわち、ビデオカメラは、レコーダに比べると、ダビング毎にファイナライズを行う頻度が低いので、自動的にファイナライズが行われると、ユーザはわずらわしくなる。しかも、カメラは通常バッテリで駆動しているため、ダビングとファイナライズの処理を同時に行うと、バッテリ切れを起こすことがある。
【０００５】
そこで、本発明は、ファイナライズ処理を自動的に行うことなく、ユーザからの指示に従ってファイナライズ処理を実行するようにした情報記録再生装置を提供することを目的とする。
【課題を解決するための手段】
【０００６】
前記課題を解決するために、本発明は、記憶媒体に対するファイナライズ処理を実行するに際して、ファイナライズ処理を自動的に行うことなく、指示、例えば、ダビング処理やファイナライズ処理の実行が指示されたときに、第１の電源（外部AC電源）から電力の供給を受けていることを条件に、第１の記録媒体または第２の記録媒体に対するダビング処理を実行し、第１の電源から電力の供給を受けていることを条件に、第１の記録媒体または第２の記録媒体に対するファイナライズ処理を実行することを特徴とする。
【０００７】
また、第１の電源から電力の供給を受けているか、あるいは第２の電源（バッテリ）の残量が所定量を超えていることを条件に、ダビング処理の実行またはダビング処理とファイナライズ処理の実行のいずれかを選択するための選択情報を表示部に表示させることを特徴とする。
【発明の効果】
【０００８】
本発明によれば、ファイナライズ処理を自動的に行うことなく、指示に従ってファイナライズ処理を実行することができる。
【発明を実施するための最良の形態】
【０００９】
以下、本発明の実施形態を図面に基づいて説明する。図１は、本発明の一実施形態を示す情報再生記録装置のブロック図である。
【００１０】
図１において、情報再生記録装置１００は、BDハイブリッドカメラとして、レンズ１０１、撮像センサ（CCD）１０２、カメラ信号処理部１０３、圧縮伸張部１０４、制御マイコン部１０５、信号処理部１０６、ハードディスクドライブ（HDD）１０７、ディスクメディア（例えばBDやDVD）部１０８、操作スイッチ１０９、充電部１１０、バッテリ１１１、外部電源入力部１１２、液晶ディスプレイ（LCD）１１３、外部出力インターフェイス（Ｉ／Ｆ）１１４、管理情報生成部１１５を備えて構成されている。
【００１１】
レンズ１０１と撮像センサ（CCD）１０２およびカメラ信号処理部１０３は、被写体を撮像して映像情報としの映像信号を生成するカメラ部として構成され、信号処理部１０６は、カメラ信号処理部１０３からの映像信号または外部からの映像情報を第１の記録媒体としてのハードディスクドライブ（HDD）１０７と第２の記録媒体としてのディスクメディア（例えばBDやDVD）部１０８に記録、または前記第１の記録媒体と第２の記録媒体から映像情報を再生する。液晶ディスプレイ（LCD）１１３は、信号処理部１０６の処理による映像情報を画像表示する表示部として構成されている。
【００１２】
具体的には、情報記録再生装置１００は、レンズ１０１を介して被写体の画像をCCD１０２で捉え、CCD１０２で捉えた画像は電気信号に変換され、カメラ信号処理部１０３で映像信号に変換される。
【００１３】
続いて、カメラ信号処理部１０３の出力による映像信号は制御マイコン部１０５によって制御された信号圧縮伸張部１０４にて、デジタル映像信号に変換される。また外部入出力端子１１４に入力を切り替えることで、外部入力映像信号をデジタル映像信号に変換することも可能である。
【００１４】
デジタル映像信号に変換された信号は信号処理部１０６によってBDやDVD，あるいはHDDといった外部ストレージに対して記録される。このようにして、例えば、UDF２．６でフォーマットされたBD-R（Bru-ray  Disc  Recordabele）ディスクなどの記録媒体にデータが記録される。また、ユーザデータの追記などに応じてMD情報、MDM情報などの管理情報を更新する必要がある場合には、管理情報生成部１１５で管理情報が生成され、生成された管理情報は記録媒体に記録される。
【００１５】
さらに操作スイッチ１０９を操作することで、制御マイコン部１０５を制御し、信号処理部１０６によってBDやDVDに記録された映像信号の読出しを行い、HDDに対して記録を行うことで、メディア間のダビング処理を行うことが可能である。また同様に、HDDに記録された映像信号に対して読出しを行い、BDやDVDに対して記録を行うことも可能である。
【００１６】
ストレージに記録された信号は、映像圧縮伸張部１０４で映像信号に伸張し、入出力端子１１４に出力するとともに、液晶ディスプレイ１１３に対して表示することが可能である。ただし液晶ディスプレイ１１３に限られず、例えば有機ＥＬディスプレイであってもよい。
【００１７】
さらに、電源部として、外部電源入力部１１２を有し、外部からAC電源が供給されたときに、AC電源からの交流電力を外部電源入力部１１２で直流電力に変換し、変換された直流電力を充電部１１０や制御マイコン部１０５などに供給可能になっている。この外部電源入力部１１２から電源が供給されることで、充電部１１０により、バッテリ１１１を充電することが可能である。
【００１８】
これにより、外部電源入力部１１２より電源が供給されているときは、外部電源によって機器を動作させ、外部電源が供給されていないときには、バッテリ１１１からの電源供給によって機器を動作させることも可能である。ただし、充電に必要な機能の全てが装置に内蔵されている必要はなく、外部電源入力部の他に充電に必要な機能の一部または全てがあるものであってもよい。
【００１９】
ここで、制御マイコン部１０５は、外部電源入力部１１２から電力の供給を受けていることを条件に、第１の記録媒体としてのハードディスクドライブ（HDD）１０７と第２の記録媒体としてのディスクメディア部１０８に対するダビング処理を信号処理部１０６に指示し、かつ、ハードディスクドライブ（HDD）１０７とディスクメディア部１０８に対するダビング処理を信号処理部１０６に指示する制御部として機能するようになっている。
【００２０】
さらに、制御マイコン部１０５は、外部電源入力部１１２から電力の供給を受けているか、あるいはバッテリ（第２の電源）１１１の残量が所定量を超えていることを条件に、ダビング処理の実行またはダビング処理とファイナライズ処理の実行のいずれかを選択するための選択情報を液晶ディスプレイ（LCD）１１３に表示させる制御部として機能するようになっている。
【００２１】
具体的には、制御マイコン部１０５は、操作スイッチ１０９により、ダビング処理が指示されたときには、図２に示すように、バッテリ１１１による駆動か否かを判定し（Ｓ１）、バッテリ１１１による駆動でなく、外部電源入力部１１２から電力を利用するAC電源駆動のときには、ハードディスクドライブ（HDD）１０７またはディスクメディア部１０８に対するダビング処理を実行し（Ｓ２）、その後、このルーチンでの処理を終了し、バッテリ１１１による駆動のときには、即座にこのルーチンでの処理を終了する。
【００２２】
次に、制御マイコン部１０５は、操作スイッチ１０９により、ファイナライズ処理が指示されたときには、図３に示すように、バッテリ１１１による駆動か否かを判定し（Ｓ１１）、バッテリ１１１による駆動でなく、外部電源入力部１１２から電力を利用するAC電源駆動のときには、ハードディスクドライブ（HDD）１０７またはディスクメディア部１０８に対するファイナライズ処理を実行し（Ｓ１２）、その後、このルーチンでの処理を終了し、バッテリ１１１による駆動のときには、即座にこのルーチンでの処理を終了する。
【００２３】
本実施形態によれば、ダビング時に、外部電源入力部１１２から電力の供給を受けていることを条件に、自動的にファイナライズ処理を実行させることなく、指示に従ってファイナライズ処理を実行することができる。
【００２４】
次に、第２実施形態の作用を図４のフローチャートに従って説明する。まず、制御マイコン部１０５は、操作スイッチ１０９により、ダビング処理が指示されたときには、バッテリ１１１による駆動かあるいはAC電源による駆動か否かを判定し（Ｓ３１）、バッテリ１１１による駆動のときにはバッテリ１１１の残量を判定し（Ｓ３２）、バッテリ１１１の残量が所定量を超えて、残量が十分なときには液晶ディスプレイ（LCD）１１３に選択画面を表示させ（Ｓ３３）、バッテリ１１１の残量が所定量よりも少ないが、ダビング処理が可能な残量であるときには、信号処理部１０６にダビング処理を指令し（Ｓ３５）、バッテリ１１１の残量が所定量よりも少なく、ダビング処理が不可能な残量であるときには、このルーチンでの処理を終了する。
【００２５】
一方、ステップＳ３１において、バッテリ１１１による駆動ではなく、外部電源入力部１１２から電力を利用するAC電源による駆動と判定したときには、制御マイコン部１０５は、液晶ディスプレイ１１３に選択画面を表示させる（Ｓ３３）。例えば、液晶ディスプレイ１１３の画面上に、（１）ダビング処理のみ実行（ファイナライズが自動ではない）または（２）ダビング処理とファイナライズ処理の実行（ファイナライズが自動）のいずれかの選択を促す選択情報を表示させる。
【００２６】
ここで、ユーザが操作スイッチ１０９を操作して、（１）ダビング処理のみ実行（ファイナライズが自動ではない）を選択したときには、制御マイコン部１０５は、信号処理部１０６にダビング処理を指令し（Ｓ３５）、その後、このルーチンでの処理を終了する。このとき、信号処理部１０６は、ハードディスクドライブ（HDD）１０７またはディスクメディア部１０８に対するダビング処理を実行する。
【００２７】
一方、ユーザが操作スイッチ１０９を操作して、（２）ダビング処理とファイナライズ処理の実行（ファイナライズが自動）を選択したときには、制御マイコン部１０５は、信号処理部１０６にダビング処理を指令し（Ｓ３６）、続いて、信号処理部１０６にファイナライズ処理を指令し（Ｓ３７）、その後、このルーチンでの処理を終了する。このとき、信号処理部１０６は、ハードディスクドライブ（HDD）１０７またはディスクメディア部１０８に対するダビング処理を実行し、その後、ハードディスクドライブ（HDD）１０７またはディスクメディア部１０８に対するファイナライズ処理を実行する。
【００２８】
本実施形態によれば、ダビング時に、外部電源入力部１１２から電力の供給を受けているか、あるいはバッテリ１１１の残量が所定量を超えていることを条件に、ユーザの操作に従ってダビング処理のみの実行またはダビング処理とファイナライズ処理の実行を選択することができる。
【図面の簡単な説明】
【００２９】
【図１】本発明の一実施形態を示す情報再生記録装置のブロック図である。
【図２】第１実施形態におけるダビング処理を説明するためのフローチャートである。
【図３】第１実施形態におけるファイナライズ処理を説明するためのフローチャートである。
【図４】第２実施形態におけるダビング処理を説明するためのフローチャートである。
【符号の説明】
【００３０】
１００  情報記録再生装置、１０１  レンズ、１０２  撮像センサ、１０３  カメラ信号処理部、１０４  圧縮伸張部、１０５  制御マイコン部、１０６  信号処理部、１０７  ハードディスクドライブ、１０８  ディスクメディア部、１０９  操作スイッチ、１１０  充電部、１１１  バッテリ、１１２  外部電源入力部、１１３  液晶ディスプレイ、１１４  外部出力インターフェイス、１１５  管理情報生成部。
【図１】
2009043354.tif 000003
【図２】
2009043354.tif 000004
【図３】
2009043354.tif 000005
【図４】
2009043354.tif 000006